(57)【要約】 【課題】  本発明は、ビニールハウス、ガラスハウスのような農業用ハウスに対してすっぽりと被せることによって、当該ハウスの室温調整が図られるようにしたシェルターに関する。【解決手段】    菱型状の側面形状を呈しかつその四周面に光反射層(１a)を形成して成る断熱材料製温度制御用可動片(１)を用い、所要の農業用ハウスの外面全体を覆うような形態とするように多数の可動片(１)を、その互いの辺面を重ねるようにして鱗状に敷設すると共に、農業用ハウス(Ａ)に近接する側の狭角において起伏自在に枢着(２)したことを特徴とする農業用ハウスに対する室温調整用シェルター。【選択図】  図１
2015000012.tif 000002
【特許請求の範囲】
【請求項１】
菱型状の側面形状を呈しかつその四周面に光反射層(１a)を形成して成る断熱材料製温度制御用可動片(１)を用い、所要の農業用ハウスの外面全体を覆うような形態とするように多数の可動片(１)を、その互いの辺面を重ねるようにして鱗状に敷設すると共に、農業用ハウス(Ａ)に近接する側の狭角において起伏自在に枢着(２)したことを特徴とする農業用ハウスに対する室温調整用シェルター。
【請求項２】
所要の農業用ハウスに対して、その全体にすっぽりと被せるような形態で覆うように構成した請求項１に記載の農業用ハウスに対する室温調整用シェルター。
【請求項３】
所要の農業用ハウスの外面に対して、直接的な被覆状態で取り付けるように構成した請求項１に記載の農業用ハウスに対する室温調整用シェルター。
【請求項４】
温度制御用可動片(１)の光反射層(１a)として、その倒伏時、上面に位置する部分は光反射が行われない形態として成る請求項１乃至請求項３の何れかに記載の農業用ハウスに対する室温調整用シェルター。
【発明の詳細な説明】
【技術分野】
【０００１】
本発明は、ビニールハウス、ガラスハウスのような農業用ハウスに対してすっぽりと被せることによって、当該ハウスの室温調整が図られるようにしたシェルターに関する。
【背景技術】
【０００２】
従来、農業用ハウスはその室内温度の調節は所要の暖房機構を用いて（例えば特許文献１及び特許文献２参照。）行うものであった。
【先行技術文献】
【特許文献】
【０００３】
【特許文献１】特開２０１１−１０６２４号公報
【特許文献２】特開２０１２−１６３１５号公報
【発明の概要】
【発明が解決しようとする課題】
【０００４】
上述した暖房機構を用いた場合、その燃料費及び管理費が掛かり、これは、農業上のコストアップの原因の一つとされた。
本発明は、夏季にあっては外気遮断に基づき低温地熱利用による低温度での管理を、また、冬期にあっては太陽熱の利用に基づく暖房的管理を図り、以て、冷暖房器具の利用は補助的なものに留め、もって、冷暖房器具の使用性の僅少化に基づくエネルギーの節約性が図られるように構成した「農業用ハウスに対する室温調整用シェルター」と言う新規の製品を提供し、以て、上記のような従来の問題を解決したものである。
【課題を解決するための手段】
【０００５】
本発明は請求項１に記載のように、、菱型状の側面形状を呈しかつその四周面に光反射層１aを形成して成る断熱材料製温度制御用可動片１を用い、所要の農業用ハウスの外面全体を覆うような形態とするように多数の可動片２を、その互いの辺面を重ねるようにして鱗状に敷設すると共に、農業用ハウスＡに近接する側の狭角において起伏自在に枢着２したことを特徴とする農業用ハウスに対する室温調整用シェルターに係る。
【０００６】
本発明は請求項２に記載のように、所要の農業用ハウスに対して、その全体にすっぽりと被せるような形態で覆うように構成した請求項１に記載の農業用ハウスに対する室温調整用シェルターを実施の態様とする。
【０００７】
本発明は請求項３に記載のように、所要の農業用ハウスの外面に対して、直接的な被覆状態で取り付けるように構成した請求項１に記載の農業用ハウスに対する室温調整用シェルターを実施の態様とする。
【０００８】
本発明は請求項４に記載のように、温度制御用可動片１の光反射層１aとして、その倒伏時、上面に位置する部分は光反射が行われない形態として成る請求項１乃至請求項３の何れかに記載の農業用ハウスに対する室温調整用シェルターを実施の態様とする。
【発明の効果】
【０００９】
本発明は請求項１に記載のような構成の採用、すなわち、菱型状の側面形状を呈しかつその四周面に光反射層１aを形成して成る断熱材料製温度制御用可動片１を用い、所要の農業用ハウスの外面全体を覆うような形態とするように多数の可動片１を、その互いの辺面を重ねるようにして鱗状に敷設すると共に、農業用ハウスＡに近接する側の狭角において起伏自在に枢着２するように構成したから、夏場は断熱材料製温度制御用可動片１を全て閉めておくことにより、農業用ハウス内は外気の無遮断状態に保たれる。  従って、低温である地熱雰囲気がハウス内を占め、通常外気より温度降下を招くこととなる。  そのため、補助的に冷房器具を用いても、経済的なエネルギー利用となり、電気代等の節減化が図られる。
【００１０】
更に、冬期にあっては、断熱材料製温度制御用可動片１を全て垂直状に開くことにより、太陽光線の取り込みが可能化され、これによりはハウス内の温度雰囲気の向上化が図られる。  そして、太陽光の直射角度によっては図５の（&#12799;）または（ハ）のように、可動片１の光反射層１aを介してハウス内にこれを取り込むことができるから、極めて安定した太陽熱利用が図られる。  そして、例えば他の暖房器具と併用しても、ひその消費エネルギーの節約化が図られることとなる。
【００１１】
本発明は請求項２に記載のような構成の採用、すなわち、所要の農業用ハウスに対して、その全体にすっぽりと被せるような形態で覆うように構成することにより、既設農業用ハウスに対する実施が極めて容易に達成されることとなり、また、既設ハウスの形状とは関わりなく実施することが可能化される。
【００１２】
本発明は請求項３に記載のような構成の採用、すなわち、所要の農業用ハウスの外面に対して、直接的な被覆状態で取り付けるように構成することにより、本発明に係るシェルターの設置は、既設の農業用ハウスの外観面を土台として行うことができる。  従って、本発明の実施が比較的廉価にして簡便に達成されることとなる。
【００１３】
本発明は請求項４に記載のような構成の採用、すなわち、温度制御用可動片１の光反射層１aとして、その倒伏時、上面に位置する部分は光反射が行われない形態とすることにより、近隣からの光反射に対するクレームの発生を未然に防止することができる。
【図面の簡単な説明】
【００１４】
【図１】本発明の一実施例を表した説明用断面図である。
【図２】本発明の他の実施例を表した説明用断面図である。
【図３】本発明の要部の作動を表した説明用断面図である。
【図４】本発明の夏期使用形態を表した要部の説明用断面図である。
【図５】本発明の冬期使用形態を表した要部の説明用断面図である。
【発明を実施するための形態】
【００１５】
本発明は農業用ハウスＡの外側に、図１に示すようにこれをすっぽりと被せるように構成した第１実施例と、図２に示すように当該農業用ハウスＡの外面に対して直接的に被覆状態で取り付けるように構成した第２実施例とを含むものである。      
【００１６】
そして、本発明の実施対象とする農業用ハウスは、図示のような側面かまぼこ状のビニール製ハウスや、家形または矩形状、台形状等を呈するガラス製温室ハウス等、各種形態の農業用ハウス全てを対象とするものである。  
【００１７】
図に於いて、１は温度制御用可動片であって、これは、四辺の長さが等しい矩形、すなわち菱型状を呈する側面形状を呈するものである。  そして、当該可動片１は断熱材料で形成すると共に、その四周面には鏡状の光反射層１aが形成されている。
【００１８】
上記した可動片１を形成する断熱材であるが、これは、ＥＰＳ、エアー、おがくず、もみ殻、オイル、軽石、その他全ての断熱材が利用可能である。  また、これに貼り着する光反射層1aの形成材料としては、金属薄板、銀紙、銀塗装等、太陽光が反射するものであれば、如何なる材料であっても可とする。
【００１９】
上記した可動片１の取付けであるが、            これは図１に示す実施例にあってはシェルター枠Ｂの全体に対して、また、図２に示す実施例にあっては農業用ハウスＡの外観面全体に対して、多数の可動片１を隙間なく（互いの辺面を重ねるようにして縦横に列設けする。）、鱗状を呈するように敷設すると共に、シェルター枠Ｂ或いは農業用ハウスＡに接する側の狭角において起伏自在に枢着２してある。  なお、その起伏自在の立ち上がり角度は、原則として水平状態から垂直状態まで９０度とするが、１８０度の回転が行われるように構成してもよい。
【００２０】
本発明は、各可動片１が図１または図２に示すような倒伏状態(図４参照）にあっては、農業用ハウスＡの外面は、多数の可動片１により覆われた状態に保たれる。  従って、農業用ハウスＡの内部温度は外界からの断熱状態に保持される。
【００２１】
そのため、暑い夏の季節に際しては、当該可動片１を倒しておくことにより、高温の外界温度が断たれ、比較的温度の低い地熱温度が室内温度とされる。  そのため、外気に比して低温状態の室内温度が保たれ、補助的にクーラーを用いたとしても、その出力を低減化することができる。
【００２２】
なお、農業用ハウス内の換気を行う際は、可動片１全てを開いた状態で行うものとする。
【００２３】
ところで、温度制御用可動片１の光反射層１aとして、その倒伏時、上面に位置する部分は、例えばつや消し、或いは剥離等に基づき光反射が行われない形態とするようにして実施する場合がある。  これは、夏季において倒伏状態にある温度制御用可動片１の表面全体が太陽光を反射して、一種の公害化するような事態を防止するためである。  本発明はこのような形態で実施する場合もある。
【００２４】
次に、寒い冬の季節に際しては、全ての可動片１を、図５に示すように枢着２部分から垂直状に立ち上がらせる。  これにより、太陽光が取り込まれ、農業用ハウスＡ内に対する室温上昇化が図られる。  そして、図５に示す光線（イ）のように直接取り込まれる場合は直接、光線（&#12799;）及び（ハ）のように角度があるため直接取り込まれない光線は、可動片１の光反射層１ａに反射しながら農業用ハウスＡ内に取り込まれることとなる。  これにより、照射太陽光はその照射角度に関わりなく、全て農業用ハウスＡに対する照射または取り込みが図られる。
【００２５】
なお、可動片１の立ち上げ操作であるが、各可動片１相互の連動機構を設け、これにより手動的或いはモーター動力に基づき操作する様にすることが好ましい。
【符号の説明】
【００２６】
Ａ  農業用ハウス
１  温度制御用可動片
1a  光反射層
２  枢着
【図１】
2015000012.tif 000003
【図２】
2015000012.tif 000004
【図３】
2015000012.tif 000005
【図４】
2015000012.tif 000006
【図５】
2015000012.tif 000007